(57)【要約】【課題】  事件・事故発生地点近隣の他の携帯電話機所有者へ報知し、事故や災害に遭遇した被害者に対する救助行動を速やかに実施可能にする。【解決手段】  複数の携帯電話機が基地局に対して発信している制御情報をモニタリングし、第１のデータベースに格納する第１の装置と、事件、事故等に遭遇した被害者または発見者の携帯電話機から基地局に対して発信された事件・事故情報をモニタリングし、当該携帯電話機の位置情報を含めて第２のデータベースに格納する第２の装置と、未対応の事件・事故情報に対し、当該事件・事故情報を発信した携帯電話機の位置情報で示される位置の所定距離範囲内に位置する近隣の他の携帯電話機の識別情報と位置情報を前記第１のデータベースから検索し、事件・事故情報を発信した携帯電話機の位置と近隣に存在する携帯電話機の位置とを含む事件・事故発生地図情報を生成し、近隣の他の携帯電話機へ配信する第３の装置とを備える。【選択図】      図２
2009152724.tif 000002
【特許請求の範囲】
【請求項１】
複数の携帯電話機が携帯電話網の基地局に対して発信している自機の位置情報及び固有の識別情報を含む制御情報をモニタリングし、第１のデータベースに格納する第１の装置と、
事件、事故等に遭遇した被害者または発見者の携帯電話機から基地局に対して発信された事件・事故情報をモニタリングし、当該携帯電話機の位置情報を含めて第２のデータベースに格納する第２の装置と、
この第２のデータベースに格納された事件・事故情報及び位置情報を読出し、未対応の事件・事故情報に対し、当該事件・事故情報を発信した携帯電話機の位置情報で示される位置の所定距離範囲内に位置する近隣の他の携帯電話機の識別情報と位置情報を前記第１のデータベースから検索し、事件・事故情報を発信した携帯電話機の位置と近隣に存在する携帯電話機の位置とを含む事件・事故発生地図情報を生成し、当該事件・事故発生地図情報と前記事件・事故情報中に含まれる事件・事故状況等の情報及び近隣の他の携帯電話機の識別情報とを携帯電話会社のメッセージ配信機構に送信する第３の装置と
を備え、携帯電話会社のメッセージ配信機構を通じて、事件、事故等に遭遇した被害者または発見者の携帯電話機から発信された事件・事故情報と事件・事故発生地図情報とを前記近隣の他の携帯電話機に配信することを特徴とする携帯電話機を用いた緊急連絡システム。
【請求項２】
前記第３の装置は、事件・事故情報を受信した前記近隣の他の携帯電話機からの警察への通報要求を受信したことを契機に、警察に対し事件・事故の発生情報を通報する通報手段を備えることを特徴とする請求項１に記載の携帯電話機を用いた緊急連絡システム。
【請求項３】
前記通報手段は、前記近隣の携帯電話機への事件・事故情報の配信後、所定時間経過後に警察への通報要求を受信したか否かを判定し、警察への通報要求を受信していない場合は事件・事故情報及び事件・事故発生地図情報とを前記近隣の携帯電話機へ再配信する再配信手段を備えることを特徴とする請求項２に記載の携帯電話機を用いた緊急連絡システム。
【発明の詳細な説明】
【技術分野】
【０００１】
本発明は、災害、事故あるいは犯罪の発生時に、その被害者が所有する携帯電話機から発せられた事件・事故発生情報を近隣に位置する他の携帯電話機の所有者に報知する携帯電話機を用いた緊急連絡システムに関するものである。
【背景技術】
【０００２】
従来より、防犯ベル機能や自動通知機能が付与された携帯電話機については、例えば特許文献１の技術が知られている。特許文献１に記載の技術は、災害や事故などの発生時に効果的な防犯ベルと携帯端末、特に携帯電話機と組み合わせることによって、防犯ベル機能による近辺住民に知らせると同時に携帯電話機の電話機能およびメール機能で予め設定された特定の相手側に対して異常事態が生じたことを連絡することができるものである。
【０００３】
また、現場の近くに通知するシステムについては、例えば特許文献２の技術が知られている。特許文献２に記載の技術は、複数の送受信装置と表示装置を備え、防犯ベル等に設けられた発信装置から発せられた報知信号を送受信装置で受信し、発生場所の周囲にある表示装置に報知することができるものである。
また、サービス加入者に緊急情報を配信するシステムについては特許文献３及び特許文献４の技術が開示されている。
また、携帯電話では、待ち受け画面に情報をプッシュ型で配信し表示するサービスが定着している。関連技術の一例として特許文献５を示す。
また近年、携帯電話機の存在位置を測位し利用する技術として非特許文献１に記載の携帯プローブ（Ｃｅｌｌｕｌａｒ  Ｐｒｏｂｅｓ）が研究されている。携帯電話機の測位には、いくつかの方式があり、大きく、携帯電話機自体がＧＰＳ衛星などと通信して測位し位置情報センタにアップロードする方式と携帯電話機が通常使用状態で送信する制御信号をネットワーク側でモニタして測位を行う方式がある。後者の方式は携帯電話機端末からの位置情報のアップロードは必要ないため、基本的に携帯電話回線利用料は発生せず、また携帯電話機に測位機能を必要としないという利点がある。
【０００４】
【特許文献１】特開２００４−２３７０９
【特許文献２】特開２００７−１６４３７３
【特許文献３】特許第３９６９１１３号
【特許文献４】特許第３６９３９２８号
【特許文献５】特開２００２−７３８３９
【非特許文献１】「米欧における交通渋滞予測のための携帯プローブ利用の動き」、ＫＤＤＩ総研Ｒ＆Ａ、２００６年９月第１号
【発明の開示】
【発明が解決しようとする課題】
【０００５】
上述の特許文献１、特許文献３及び特許文献４の技術では、予め設定された特定の相手側に対して連絡する機能であるが、受信者が送信者（事件・事故者）から遠く離れた遠方にいる場合や連絡に気が付かずにいた場合、早急に対処することが難しいという問題がある。
また、特許文献２の技術では、専用の送受信装置、表示装置、表示管理装置を使用する機能であるが、設置場所、設置費用が必要となる。発信側となる携帯電話機にも送受信装置へ送信するための専用機能を搭載する必要がある。
本発明の目的は、事件・事故発生情報を従来の携帯電話機の機能を用いて、事件・事故発生地点近隣の他の携帯電話機所有者へ報知し、事故や災害に遭遇した被害者に対する救助行動を速やかに実施可能にする携帯電話機を用いた緊急連絡システムを提供することにある。
【課題を解決するための手段】
【０００６】
上記目的を達成するために、本発明の携帯電話機を用いた緊急連絡システムは、複数の携帯電話機が携帯電話網の基地局に対して発信している自機の位置情報及び固有の識別情報を含む制御情報をモニタリングし、第１のデータベースに格納する第１の装置と、
事件、事故等に遭遇した被害者または発見者の携帯電話機から基地局に対して発信された事件・事故情報をモニタリングし、当該携帯電話機の位置情報を含めて第２のデータベースに格納する第２の装置と、
この第２のデータベースに格納された事件・事故情報及び位置情報を読出し、未対応の事件・事故情報に対し、当該事件・事故情報を発信した携帯電話機の位置情報で示される位置の所定距離範囲内に位置する近隣の他の携帯電話機の識別情報と位置情報を前記第１のデータベースから検索し、事件・事故情報を発信した携帯電話機の位置と近隣に存在する携帯電話機の位置とを含む事件・事故発生地図情報を生成し、当該事件・事故発生地図情報と前記事件・事故情報中に含まれる事件・事故状況等の情報及び近隣の他の携帯電話機の識別情報とを携帯電話会社のメッセージ配信機構に送信する第３の装置と
を備え、携帯電話会社のメッセージ配信機構を通じて、事件、事故等に遭遇した被害者または発見者の携帯電話機から発信された事件・事故情報と事件・事故発生地図情報とを前記近隣の他の携帯電話機に配信することを特徴とする。
また、前記第３の装置は、事件・事故情報を受信した前記近隣の他の携帯電話機からの警察への通報要求を受信したことを契機に、警察に対し事件・事故の発生情報を通報する通報手段を備えることを特徴とする。
また、前記通報手段は、前記近隣の携帯電話機への事件・事故情報の配信後、所定時間経過後に警察への通報要求を受信したか否かを判定し、警察への通報要求を受信していない場合は事件・事故情報及び事件・事故発生地図情報とを前記近隣の携帯電話機へ再配信する再配信手段を備えることを特徴とする。
【発明の効果】
【０００７】
本発明の携帯電話機を用いた緊急連絡システムによれば、次のような効果がある。
（１）事件、事故の発生地点周辺の複数の携帯電話機所有者に向けて事件、事故等の情報を発信するため、速やかな救助行動を期待できる。
（２）携帯電話機から基地局に対して常時（あるいは定期的に）発信されている制御情報中に含まれる位置情報に基づき、事件、事故等の発生地点周辺の携帯電話機所有者の位置を特定するため、圏外等で受信不可となることや事件・事故発生地点から離れた場所へ配信されることがない。
（３）事件・事故発生情報に対して、事件・事故発生情報を発信した携帯電話機の位置と近隣の他の携帯電話機の位置の地図を送信して表示させるため、近隣の携帯電話機所有者が事件・事故の発生地点を容易に知ることができる。
（４）近隣の携帯電話機所有者が警察への通報要求を発信することにより、事件・事故情報や通報者の情報が警察へ自動的に送信されるため、警察側で迅速に対応することが可能となる。
（５）周辺の携帯電話機への配信に携帯電話会社がサービス提供しているプッシュ型情報配信機能を使用することで、ＷｅｂＡＰサーバ自体に配信機能を持たせる必要がない。
（６）警察への通報要求がない場合は、事件・事故情報や事件地図情報を再配信することにより、事件・事故が警察に通報されることなく埋もれてしまうことを防ぐことができる。
【発明を実施するための最良の形態】
【０００８】
以下、本発明を適用した携帯電話機を用いた緊急連絡システムの一実施の形態について説明する。
図１は、本発明の一実施の形態例を示すシステム構成図であり、プローブ情報管理機能の構成を示すものである。
プローブ情報管理機能は、基地局４においてモニタリングしたプローブ情報を中継するプローブ情報中継サーバ１と、プローブ情報管理データベース２を備えたプローブ情報管理サーバ３とから構成され、携帯電話機からの制御情報を受信する基地局４とプローブ情報中継サーバ１がネットワーク接続されている。
基地局４は、各携帯電話会社が設置している基地局であり、携帯電話機１１ａ〜１１ｃとプローブ情報中継サーバ１とは、基地局４に至る無線回線およびネットワークを通じてプローブ情報中継サーバ１に接続されている。
【０００９】
プローブ情報中継サーバ１には、携帯電話機１１ａ〜１１ｃが通常使用状態で送信する制御情報をネットワーク上でモニタリングし、携帯電話機１１ａ〜１１ｃの位置情報等のプローブ情報を取得するプローブ情報取得部１２、プローブ情報をプローブ情報管理サーバ３へ送信するプローブ情報送信部１３を備えている。
プローブ情報管理サーバ３には、プローブ情報中継サーバ１から送信されたプローブ情報を受信し、必要な項目を抽出するプローブ情報解析部７、抽出した項目をプローブ情報管理データベース２に登録、更新するプローブ情報更新部８を備えている。
プローブ情報管理サーバ３のプローブ情報管理データベース２には、基地局４でプローブ情報中継サーバ１によって取得されたプローブ情報が登録されている。
【００１０】
図２は、本発明の携帯電話機を用いた緊急連絡システムの緊急連絡機能の構成を示すシステム構成図である。
本緊急連絡機能は、事件・事故情報を送受信する複数の携帯電話１１ａ、１１ｂ、１１ｃ、１１ｎと、事件・事故情報を送信するプローブ情報中継サーバ１と、事件情報管理データベース９を備えたプローブ情報管理サーバ３と、事件・事故情報や事件・事故地図情報を提供するＷｅｂＡＰサーバ１０とから構成され、プローブ情報中継サーバ１とプローブ情報管理サーバ３とＷｅｂＡＰサーバ１０がネットワーク接続されている。
携帯電話機１１ａ〜１１ｎには、事件・事故発生時に防犯ベル機能や自動通知機能により事件・事故発生情報を発信する事件・事故発生情報発信部２４を備えている。
プローブ情報中継サーバ１には、基地局４で受信した事件・事故発生情報を取得する事件・事故発生情報取得部１２、事件・事故発生情報をプローブ情報管理サーバ３へ送信する事件・事故発生情報送信部１３を備えている。
【００１１】
プローブ情報管理サーバ３には、プローブ情報中継サーバ１から送信された事件・事故発生情報を受信し、必要な項目を抽出する事件・事故発生情報解析部１４、抽出した項目を事件・事故情報管理データベース９に登録、更新する事件・事故情報更新部１５、ＷｅｂＡＰサーバ１０に事件・事故発生通知を行う事件・事故情報送信部１６を備えている。
プローブ情報管理サーバ３の事件・事故情報管理データベース９には、各基地局４でプローブ情報中継サーバ１によって取得された事件・事故発生情報が事件情報として登録されている。
【００１２】
ＷｅｂＡＰサーバ１０には、プローブ情報管理サーバ３から送信された事件・事故発生通知を受信する事件・事故情報受信部１７、送信された事件・事故ＩＤ４１（図４）を基に事件・事故情報管理データベース９を検索し、該当事件ＩＤ４１の事件・事故情報を取得する処理と、事件・事故発生の携帯ＩＤを基にプローブ情報管理データベース２を検索し、事件・事故発生地点と事件・事故発生地点から所定距離範囲内の近隣（または周辺）に位置する携帯電話機１１ａ〜１１ｎのプローブ情報を取得する処理を行うＤＢ検索部１８、取得した被事件・事故発生地点の位置情報と周辺に位置する携帯電話機１１ａ〜１１ｎの位置情報から周辺携帯電話機向けの地図情報を生成する事件・事故地図情報作成部２０、事件・事故情報と事件・事故地図情報を提供し、周辺の携帯電話機１１ａ〜１１ｎに配信する事件・事故情報送信部２１を備えている。
【００１３】
また、携帯電話１１ａ〜１１ｎには、携帯電話会社がサービス提供しているプッシュ型情報配信機能によって配信された事件・事故情報や事件・事故地図情報を受信する事件・事故情報受信部２５、事件・事故情報や事件・事故地図情報を表示する事件・事故情報表示部２６を備えている。
また、ＷｅｂＡＰサーバ１０には、配信先の携帯電話機１１ａ〜１１ｎからの通報要求に対して、プローブ情報管理データベース２や事件・事故情報管理データベース９を検索し、該当事件・事故ＩＤ４１の事件・事故情報や通報要求のあった携帯電話情報を取得する通報要求受信部２２、取得した事件・事故情報等を警察（交番）へ発信する事件・事故情報発信部２３を備えている。
また、ＷｅｂＡＰサーバ１０には、事件・事故情報管理データベース９の対処状況を示すステータス４７や対処情報４８を更新するＤＢ更新部１９を備えている。
【００１４】
プローブ情報管理データベース２に格納されるプローブ情報は、図３に示すように、携帯ＩＤ３１、基地局ＩＤ３２、ＧＰＳ位置情報３３の項目から構成され、プローブ情報中継サーバ１から送信されたプローブ情報の携帯ＩＤ３１をキーとして登録、更新される。
事件情報管理データベース５に格納される事件・事故発生情報は、図４に示すように、事件・事故ＩＤ４１、携帯ＩＤ４２、基地局ＩＤ４３、事件・事故発生日４４、事件・事故発生時刻４５、事件・事故情報４６、ステータス４７、対処情報４８の項目から構成され、プローブ情報中継サーバ１から送信された事件・事故発生情報の基地局ＩＤ４３、事件・事故発生日４４、事件・事故発生時刻４５から生成された一意な事件・事故ＩＤ４１を主キーとして登録、更新される。
ここで、ステータス４７には、対応状況を示すフラグとして使用され、事件・事故発生情報が周辺携帯電話機へ配信されて通報要求がない場合は「配信中」、配信先の携帯電話機から通報要求があり、警察（交番）へ発信がされた場合は「対処済」のように処理を行うたびに更新される。
配信先の周辺携帯電話機から通報要求があった場合は、ステータス４７を確認し、「配信中」となっている場合には警察（交番）へ発信するが、「対処済」となっている場合には既に通報されていることを通報要求のあった携帯電話機へ向けて配信する。
【００１５】
以下、以上のように構成された携帯電話機を用いた緊急連絡システムの動作を説明する。
図５は、プローブ情報を管理する処理を示すフローチャートである。
プローブ情報中継サーバ１は、まず、携帯電話機１１ａ〜１１ｎが通常使用状態で送信する制御情報をネットワーク上でモニタリングし、携帯電話機１１ａ〜１１ｎの位置情報等のプローブ情報を収集する（ステップ５０１）。
次に、取得したプローブ情報に基地局ＩＤ３２を付与し、プローブ情報管理サーバ３へ送信する（ステップ５０２）。
プローブ情報中継サーバ１は以上の処理を定期的に実行し、携帯電話機１１ａ〜１１ｎのプローブ情報を収集する。
【００１６】
プローブ情報中継サーバ１からプローブ情報と基地局ＩＤ３２を受信したプローブ情報管理サーバ３は、プローブ情報から携帯ＩＤ３１、ＧＰＳ位置情報３３を抽出する（ステップ５０３）。
次に、抽出した携帯ＩＤ３１をキーとしてプローブ情報管理データベース２を検索し、該当携帯ＩＤ３１のレコードが存在した場合は基地局ＩＤ３２とＧＰＳ位置情報３３を更新し、該当携帯ＩＤ３１のレコードが存在しない場合は携帯ＩＤ３１、基地局ＩＤ３２、ＧＰＳ位置情報３３を登録する（ステップ５０４）。
【００１７】
図６は、事件・事故発生情報受信時の処理を示すフローチャートである。
プローブ情報中継サーバ１は、まず、基地局４で受信した事件・事故発生情報を取得する（ステップ６０１）。
次に、取得した事件・事故発生情報に基地局ＩＤ４３を付与し、プローブ情報管理サーバ３へ送信する（ステップ６０２）。
プローブ情報中継サーバ１は以上の処理を基地局４が事件・事故発生情報を受信するたびに実行する。
【００１８】
プローブ情報中継サーバ１から事件・事故発生情報と基地局ＩＤ４３を受信したプローブ情報管理サーバ３は、事件・事故発生情報から携帯ＩＤ４２、事件・事故発生日４４、事件・事故発生時刻４５、事件・事故情報４６を抽出し、基地局ＩＤ４３と事件・事故発生時刻４５と事件・事故発生時刻４６から一意となる事件・事故ＩＤ４１を生成する（ステップ６０３）。
事件・事故発生情報から抽出した携帯ＩＤ４２、事件・事故発生日４４、事件・事故発生時刻４５、事件・事故情報４６と基地局ＩＤ４３、生成した事件・事故ＩＤ４１、ステータス４７を事件情報管理データベース５に登録する。この時、ステータス４７には「配信待」と登録する（ステップ６０４）。同時に、生成した事件・事故ＩＤ４１をＷｅｂＡＰサーバ６へ送信することでＷｅｂＡＰサーバ６に事件・事故発生通知を行う（ステップ６０５）。
【００１９】
プローブ情報管理サーバ３から事件・事故発生通知を受信したＷｅｂＡＰサーバ６は、事件・事故ＩＤ４１を基に事件・事故情報管理データベース５を検索し、取得した携帯ＩＤ４２を基にプローブ情報管理データベース２を検索し、事件・事故発生情報を発信した携帯電話機のＧＰＳ位置情報３３を取得する。
そして、取得したＧＰＳ位置情報３３を基にプローブ情報管理データベース２を検索し、事件・事故発生地点周辺に位置する他の携帯電話機のプローブ情報を取得する（ステップ６０６）。
次に、取得した事件・事故発生情報を送信した携帯電話機のＧＰＳ位置情報と周辺携帯電話機のＧＰＳ位置情報から地図情報作成ＡＳＰを利用して事件・事故地図情報７１を生成する（ステップ６０７）。
事件・事故情報や事件・事故地図情報７１をコンテンツとして携帯電話会社システムのメッセージ配信機構へ提供すると、プッシュ型情報配信機能により、事件・事故情報や事件・事故地図情報７１が配信される。この場合、携帯電話会社システムに対しては、事件・事故発生情報を送信した携帯電話機及び周辺の携帯電話機の携帯ＩＤが付加される。
携帯電話会社システムのメッセージ配信機構は図示しないデータベースを参照し、携帯ＩＤを携帯電話番号あるいはメールアドレスに変換し、その携帯電話番号あるいはメールアドレスに向けて事件・事故情報や事件・事故地図情報７１をコンテンツとして送信する。
【００２０】
これにより、事件・事故発生地点の周辺あるいは近隣の他の携帯電話機には、例えば図７に示すように、事件・事故発生地点と事件・事故情報を受信した携帯電話機の位置（図７で「あなたの現在位置」として示している位置）が地図７１に示される。
この地図によって、事件・事故情報を受信した携帯電話機の所有者は、事故発生地点を確認し、速やかに救助に向かうことが可能になる。
あるいは、山火事などの自然災害の場合には安全な場所に避難することも可能になる。
携帯電話会社がサービス提供しているプッシュ型情報配信機能は、更新された情報が提供されると携帯電話機に最新情報を配信するものである。同時に、事件・事故情報管理データベース５の該当事件ＩＤ４１レコードのステータス４７を「配信中」に更新する（ステップ６０８）。
【００２１】
次に、配信先の周辺携帯電話機からの警察への通報要求を受信したか否かを判定し（ステップ６０９）、受信していなければ受信待ちの状態で待機する。
警察への通報要求を受信した場合、該当事件ＩＤ４１レコードの対処情報４８に通報要求のあった携帯電話機の情報を登録し、事件・事故発生情報として警察（交番）へ発信する。
発信完了後、事件・事故情報管理データベース５の該当事件ＩＤ４１レコードのステータス４７を「対処済」に更新する（ステップ６１０）。
これにより、警察（交番）では事件・事故発生情報と通報者の情報を取得できるため、直接連絡し、事件・事故発生状況を確認することも可能となる。
配信から一定時間経過後で通報要求を受信したかを判定し（ステップ６０９）、通報要求がない場合、該当事件ＩＤ４１の位置情報取得から周辺携帯電話機に向けての配信（ステップ６０６、ステップ６０７、ステップ６０８）を再度実行する。ただし、再配信時には、事件・事故情報管理データベース５の該当事件ＩＤ４１レコードのステータス４７を「再配信中」に更新する（ステップ６１１）。
【図面の簡単な説明】
【００２２】
【図１】本発明の緊急連絡システムに係るプローブ情報管理機能の実施の形態を示すシステム構成図である。
【図２】本発明の緊急連絡システムに係る緊急連絡機能の実施の形態を示すシステム構成図である。
【図３】プローブ情報管理データベースに格納されているデータの構成図である。
【図４】事件・事故情報管理データベースに格納されているデータの構成図である。
【図５】プローブ情報を管理する処理を示すフローチャートである。
【図６】事件・事故発生情報受信からの処理を示すフローチャートである。
【図７】配信する事件地図情報の画面イメージである。
【符号の説明】
【００２３】
１…プローブ情報中継サーバ、２…プローブ情報管理データベース、３…プローブ情報管理サーバ、４…基地局、５…プローブ情報取得部、６…プローブ情報送信部、７…プローブ情報解析部、８…プローブ情報更新部、９…事件・事故情報管理データベース、１０…ＷｅｂＡＰサーバ、１１ａ，１１ｂ，１１ｃ，１１ｎ…携帯電話機、１２…事件・事故発生情報取得部、１３…事件・事故発生情報送信部、１４…事件・事故発生情報解析部、１５…事件・事故情報更新部、１６…事件・事故情報送信部、１７…事件・事故情報受信部、１８…ＤＢ検索部、１９…ＤＢ更新部、２０…事件・事故地図情報作成部、２１…事件・事故情報送信部、２２…通報要求受信部、２３…事件・事故情報発信部、２４…事件・事故発生情報発信部、２５…事件・事故情報受信部、２６…事件・事故情報表示部
【図１】
2009152724.tif 000003
【図２】
2009152724.tif 000004
【図３】
2009152724.tif 000005
【図４】
2009152724.tif 000006
【図５】
2009152724.tif 000007
【図６】
2009152724.tif 000008
【図７】
2009152724.tif 000009